(57)【要約】      （修正有）【課題】光源制御装置を提供する。【解決手段】ベース２に電気的に接続されるスイッチ１を有し、且つベース２は照明器具２２が取り付けられる取付部材２１を備える。スイッチ１はロジックユニット１１及び受信ユニット１２を有し、受信ユニット１２は信号を受信すると共にロジックユニット１１内に伝送することで、ロジックユニット１１にプログラムシーケンスを実行させ、プログラムシーケンスが各取付部材２１に対して開閉動作を実行させる。開動作が実行されると、ロジックユニット１１がベース２に対して取付部材２１に電気エネルギーを供給するように命令を出し、照明器具２２が発光する。閉動作が実行されると、ロジックユニット１１がベース２に対して取付部材２１への電気エネルギーの供給を停止するように命令を出し、照明器具２２の発光が停止する。これにより、使用者は、ロジックユニット１１に対して照明器具２２の照明を制御するためのプログラムシーケンスを実行可能になる。【選択図】図１
0003221265.tif 000002
【実用新案登録請求の範囲】
【請求項１】
少なくとも１つのベースに電気的に接続されるスイッチを有し、且つ前記ベースは照明器具の取付に用いられる少なくとも１つの取付部材を備え、
前記スイッチは、ロジックユニット及び受信ユニットを有し、前記受信ユニットは信号を受信すると共に前記ロジックユニット内に伝送することで、前記ロジックユニットにプログラムシーケンスを実行させ、前記プログラムシーケンスは前記取付部材に対して開閉動作を実行させ、前記開動作が実行されると、前記ロジックユニットが前記ベースに対して前記取付部材に電気エネルギーを供給するように命令を出し、前記照明器具が発光し、前記閉動作が実行されると、前記ロジックユニットが前記ベースに対して前記取付部材への電気エネルギーの供給を停止するように命令を出し、前記照明器具の発光が停止することを特徴とする光源制御装置。
【請求項２】
前記信号には赤外線、ブルートゥース（Bluetooth）(登録商標)、ＺｉｇＢｅｅ、またはＷｉ-Ｆｉ等の伝送プロトコルが採用されることを特徴とする請求項１に記載の光源制御装置。
【請求項３】
前記受信ユニットはインターネットに接続され、前記インターネットを介して前記信号が伝送され、前記ロジックユニットが前記開閉動作を実行させることを特徴とする請求項１に記載の光源制御装置。
【請求項４】
前記プログラムシーケンスは前記取付部材が行った前記開閉動作を記録すると共に少なくとも１つのサブプログラムシーケンスに変換させ、前記サブプログラムシーケンスは前記取付部材に対して過去に実行した前記開閉動作を直接実行させることを特徴とする請求項１に記載の光源制御装置。
【請求項５】
前記光源制御装置は複数のボタンを有する無線送信機を備え、各前記ボタンは各前記サブプログラムシーケンスにそれぞれ対応し、そのうちの１つのボタンが押されると、前記無線送信機が前記受信ユニットに対して前記信号を伝送し、前記ロジックユニットに対して前記１つのボタンに対応するサブプログラムシーケンスを実行させることを特徴とする請求項４に記載の光源制御装置。
【考案の詳細な説明】
【技術分野】
【０００１】
本考案は、制御装置に関し、より詳しくは、光源を遠隔制御可能な制御装置に関する。
【背景技術】
【０００２】
大部分の住宅、工場、ビル等の場所には照明器具が装設されており、十分な光線を確保している。一般的な照明器具は壁に設置されるスイッチを使用して点消灯を行う。
【考案の概要】
【考案が解決しようとする課題】
【０００３】
しかしながら、使用者が照明器具を点消灯したい場合、スイッチが設置される場所まで行って照明器具の点消灯操作を行わなければならず、操作方法が理想的とは言えなかった。
【０００４】
上述の問題を解決するために、市場には赤外線により照明器具を遠隔制御する制御装置が登場した。このような制御装置は照明器具に電気的に接続される受信器及び赤外線エミッタを有し、赤外線エミッタは受信器に対して開信号及び閉信号を伝送する。使用者が照明器具を点消灯したい場合、赤外線エミッタの照準を受信器に合わせて開信号または閉信号を伝送するのみで照明器具の点消灯を行える。然しながら、このような制御装置は赤外線エミッタ及び受信器が組み合わせられているため、照明器具の遠隔制御を達成可能であるが、このような制御装置の操作方法は、１回で照明器具の全ての電灯を点消灯させることしかできず、使用法が十分理想的とは言えなかった。また、複数の照明器具を制御する場合、使用者は照照明器の数だけ対応する複数の制御装置を取り付けねばならなかった。赤外線エミッタは各受信器と１つ１つペアリングさせねばならず、赤外線エミッタにより各照明器具を制御するためには赤外線エミッタと各受信器とのペアリングに時間がかかった。なお、そのうちの１つの照明器具を制御したい場合、赤外線エミッタは前記１つの照明器具に接続される受信器に照準を合わせなければ前記１つの照明器具の点消灯を行えず、その取付及び操作が不便であった。
【０００５】
そこで、本考案者は上記の欠点が改善可能と考え、鋭意検討を重ねた結果、合理的設計で上記の課題を効果的に改善する本考案の提案に到った。
【０００６】
かかる従来の実情に鑑みて、本考案は、光源制御装置を提供することを目的とする。スイッチがベースに電気的に接続されるのみで前記無線送信機または前記携帯電話によりベースに電気的に接続される全ての照明器具の制御が可能になり、取付にかかる時間が大幅に短縮し、同時に操作や使用上の利便性が向上する。また、本考案は前記ロジックユニットが各使用者の好みの各照明器具の点消灯のアレンジを学習して記録する設計により、操作の便利さを達成する。
【課題を解決するための手段】
【０００７】
上記課題を解決するために、本考案のある態様の光源制御装置は、少なくとも１つのベースに電気的に接続されるスイッチを有し、且つ前記ベースは少なくとも１つの照明器具の取付に用いられる取付部材を備える。
前記スイッチは、ロジックユニット及び受信ユニットを有し、前記受信ユニットは信号を受信させると共に前記ロジックユニット内に伝送させることで、前記ロジックユニットにプログラムシーケンスを実行させ、前記プログラムシーケンスは前記取付部材に対して開閉動作を実行させる。前記開動作が実行されると、前記ロジックユニットが前記ベースに対して前記取付部材に電気エネルギーを供給するように命令を出し、前記照明器具が発光する。前記閉動作が実行されると、前記ロジックユニットが前記ベースに対して前記取付部材への電気エネルギーの供給を停止するように命令を出し、前記照明器具の発光が停止する。
【０００８】
このましくは、前記信号には赤外線、ブルートゥース（Bluetooth）(登録商標)、ＺｉｇＢｅｅ、またはＷｉ-Ｆｉ等の伝送プロトコルが採用される。
【０００９】
このましくは、前記受信ユニットはインターネットに接続され、前記インターネットを介して前記信号が伝送され、前記ロジックユニットが前記開閉動作を実行させる。
【００１０】
このましくは、前記プログラムシーケンスは前記取付部材が行った前記開閉動作を記録すると共に少なくとも１つのサブプログラムシーケンスに変換させ、前記サブプログラムシーケンスは前記取付部材に対して過去に実行した前記開閉動作を直接実行させる。
【００１１】
このましくは、前記光源制御装置は複数のボタンを有する無線送信機を備え、各前記ボタンは各前記サブプログラムシーケンスにそれぞれ対応する。そのうちの１つのボタンが押されると、前記無線送信機が前記受信ユニットに対して前記信号を伝送し、前記ロジックユニットに対して前記１つのボタンに対応するサブプログラムシーケンスを実行させる。
【図面の簡単な説明】
【００１２】
【図１】本考案の一実施形態に係る光源制御装置の回路ブロックを例示する概略図である。
【図２】ユーザーが携帯電話を介して各照明器具を制御する際の光源制御装置の使用状態の概略図を示する。
【考案を実施するための形態】
【００１３】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００１４】
図１乃至図２に図示する本考案の好ましい実施形態は説明に用いられるのみであり、出願する考案をこの実施形態に制限するものではない。
【００１５】
図１及び図２に示されるように、本考案の光源制御装置は少なくとも１つのベース２に電気的に接続されるスイッチ１を有し、前記ベース２は商用電源３に電気的に接続されると共に照明器具２２を取り付けるための少なくとも１つの取付部材２１を備える。図２に示されるように、前記ベース２は３つの取付部材２１を有し、前記３つの取付部材２１には照明器具２２がそれぞれ装設される。
【００１６】
前記スイッチ１はロジックユニット１１及び受信ユニット１２を有し、前記受信ユニット１２は信号を受信すると共に前記ロジックユニット１１内に伝送することで、前記ロジックユニット１１にプログラムシーケンスを実行させ、前記プログラムシーケンスは各前記取付部材２１に対して開閉動作をそれぞれ実行させる。前記開動作が実行されると、前記ロジックユニット１１が前記ベース２に対して各前記取付部材２１に電気エネルギーを供給するようにそれぞれ命令を出し、各前記取付部材２１の照明器具２２を発光させる。前記閉動作が実行されると、前記ロジックユニット１１が前記ベース２に対して各前記取付部材２１への電気エネルギーの供給を停止させるようにそれぞれ命令を出し、各前記取付部材２１の照明器具２２の発光を停止させる。本実施形態では、前記信号には赤外線、ブルートゥース（Bluetooth）(登録商標)、ＺｉｇＢｅｅ、またはＷｉ-Ｆｉ等の伝送プロトコルが採用される。当然ながら、使用者は携帯電話４１のブルートゥース（Bluetooth）(登録商標)機能により前記信号を伝送させてもよい。
【００１７】
このましくは、前記プログラムシーケンスは各前記取付部材２１が過去に実行した開閉動作を記録すると共に少なくとも１つのサブプログラムシーケンスに変換させ、前記サブプログラムシーケンスは各前記取付部材２１が過去にそれぞれ実行した開閉動作を直接実行させる。例えば、過去に前記３つの取付部材２１のうちの２つの取付部材２１がその照明器具２２に開動作を実行させ、残りの１つの取付部材２１がその照明器具２２に閉動作させたことがある場合、前記プログラムシーケンスは前記３つの取付部材２１がそれぞれ実行した動作を記録すると共にサブプログラムシーケンスに変換させる。前記サブプログラムシーケンスが実行されると、前記２つの取付部材２１がその照明器具２２に対して再度開動作を実行させ、残りの１つの取付部材２１はその照明器具２２に対して閉動作を実行させる。
【００１８】
前記光源制御装置は複数のボタン（図示省略）を有する無線送信機４を更に備え、各前記ボタンは各前記サブプログラムシーケンスにそれぞれ対応する。そのうちの１つのボタンが押されると、前記無線送信機４が前記受信ユニット１２に前記信号を伝送し、前記ロジックユニット１１に対して前記１つのボタンに対応するサブプログラムシーケンスを実行させる。
【００１９】
さらに、前記受信ユニット１２はインターネット１３に接続される。使用者はデスクトップパソコンを使用し前記インターネット１３を介して前記信号を直接伝送させ、前記ロジックユニット１１に前記開閉動作を実行させる。
【００２０】
上述の構造により構成される本考案は実際の使用において、使用者が予め商用電源３に接続されるベース２を本考案に係るスイッチ１に電気的に接続させるのみで取付が完成する。当然ながら、複数のベース２を前記スイッチ１に電気的に接続させることで、前記スイッチ１が制御可能な照明器具２２の数量が増加する。使用者が照明器具２２を制御する場合、使用者は好みに合わせてプログラムシーケンスを使用して異なる複数のサブプログラムシーケンスを予め設定し、前記無線送信機４または前記携帯電話４１を使用して前記信号を伝送させて前記ロジックユニット１１に実行させたいサブプログラムシーケンスを実行させる。これにより、各取付部材２１がその照明器具２２に対してそれぞれ開閉動作を実行させる。
【００２１】
前述の説明のように、本考案の長所は、従来の制御装置では各照明器具にそれぞれ対応する受信器が装設され、且つ赤外線エミッタを各受信器に１つ１つペアリングさせねば各照明器具を制御できなかったが、本考案は前記スイッチ１を各照明器具２２に接続されるベース２に電気的に接続させるのみで前記無線送信機４または前記携帯電話４１により全ての照明器具２２が制御可能になる。本考案は複数の照明器具２２を制御するために複数の受信器を取り付ける必要がなく、前記無線送信機４または前記携帯電話４１を使用して各照明器具２２を直接制御可能であり、取付時間が大幅に短縮され、同時に操作や使用上の利便性も向上する。また、本考案は更に、前記ロジックユニット１１が前記プログラムシーケンスを実行して各照明器具２２が実行した開閉動作を記録すると共にサブプログラムシーケンスに変換させる。これにより、ロジックユニット１１が各使用者の好みの各照明器具２２の点消灯を学習すると共に記録し、操作の便利さを達成させる。
【００２２】
以上、本考案の実施形態について図面を参照して詳述したが、具体的な構成はこの実施形態に限られるものではなく、本考案の要旨を逸脱しない範囲の設計変更等も含まれる。
【符号の説明】
【００２３】
１  スイッチ
１１  ロジックユニット
１２  受信ユニット
１３  インターネット
２  ベース
２１  取付部材
２２  照明器具
３  商用電源
４  無線送信機
４１  携帯電話
【図１】
0003221265.tif 000003
【図２】
0003221265.tif 000004